(57)【要約】【課題】ゲームやスポーツなどの対戦種目競技で参加者全員が対戦回毎に競技に参加出来て、対戦表に従って競技をすることにより、ゲームは整然と進行し、対戦消化がスムーズに行われるため、時間的無駄の発生が少なく、計画的に競技会を進める事の出来る対戦組み合わせ表を簡単、容易に作成する方法を提供するものである。【解決の手段】この対戦表を作成するには、参加者全員に背番号を付けて、図１の対戦組み合わせパターン全てに重み付けをして、重みの同じ組み合わせを同列に配し、まとめラインＬによって２ブロックに分けた組み合わせを一つに纏めた対戦組み合わせ表を作成することで解決する。但し、参加数が奇数の場合は各対戦回毎に１名の休戦者があるが、この場合の対戦表の作成方法は発明を実施する形態（００２２）で説明したとおりである。【選択図】図３
2013146329.tif 000002
【特許請求の範囲】
【請求項１】
対戦組み合わせ表を作成するに際し、
（１）参加者全てに背番号を付ける手順と、
（２）対戦組み合わせパターン表を作成する手順と、
（３）対戦組み合わせ重みを利用して、同じ重みの組み合わせを同列に配した、重み付け仕分け表を作り、重みが（１＋Ｎ）までの列を第１ブロックに、それ以上の重みの組み合わせは第２ブロックに配置して、まめラインＬで仕分けする手順と、
（４）第１ブロックの空き枠に、第２ブロックの組み合わせ全てを移動して、対戦組み合せ表を作成する手順とからなることを特徴とする対戦組み合わせ表の作成方法。
【請求項２】
請求項１記載の手順によって作成されたことを特徴とする対戦組み合わせ表。
【請求項３】
競技を実施するに際し、請求項２に記載の対戦組み合わせ表から任意の対戦回を任意数選択して競技を行うことを特徴とする対戦方法。
【発明の詳細な説明】
【技術分野】
【０００１】
本発明は、囲碁、将棋、チェス等の対戦ゲームやスポーツ競技などの対戦種目競技を行う際に、時間に無駄のない合理的な競技進行が期待できる対戦組み合わせ表を正確、迅速、容易に作成する方法、及びその表を使用した対戦方法に関する。
【背景技術】
【０００２】
従来の対戦競技方法として一般的なものに、（１）トーナメント方式（２）総当たり方式（３）スイス方式などがある。
【０００３】
これらの問題点を挙げるならば、（１）のトーナメント方式は、初期敗退者の次戦以降の空白時間発生の問題があり、競技時間を効率的に使うという点で問題があった。（２）の総当たり戦方式は、計画的対戦組み合わせ表が無い場合、対戦消化に予想外の日時がかかる場合がある。（３）のスイス方式は、４回戦競技に用いられることが多いが、対戦回毎に対戦組み合わせが必要になることや、順位確定などに手間取ることもある。
【０００４】
競技参加数Ｎ（偶数）が総当たり戦を行う場合、参加者全員が参加して、一回の対戦回で消化し得る対戦数はＮ/２であり、参加者それぞれが異なる相手（Ｎ−１）人と対戦することで総当たりとなる。即ち、Ｎ/２×（Ｎ−１）の形で対戦組み合わせ表を作成することが最も効率的な対戦表と言うことが出来る。対戦成績によって順位を決めるには勝率が最優先であるが、同率者が生じた場合のために、別途、優先要素を決めておく必要がある。
【０００５】
従来の総当たり方式では、各対戦回毎に全員が参加して対戦を消化する規則的な対戦表が無いために、いたずらに時間や日程に無駄が生じる事が多かった。そのために効率的かつ公平な対戦表の作成手段について記載がある。（特許文献１参照）
【先行技術文献】
【特許文献】
【０００６】
【特許文献１】特開２００５−２９６２７８号公報
【発明の概要】
【発明が解決しようとする課題】
【０００７】
しかしながら上記文献は遠隔地在住のプレーヤー同士が電子ゲーム機を利用して対戦する場合の効率的かつ公平な対戦が行えるように配慮した対戦表の作成手段を備えたゲームシステムに関するものであり、具体的な対戦組み合わせ方法を示したものではない。
【０００８】
従って対戦種目競技が限られた時間、日程内で効率よく順調に対戦消化できる対戦組み合わせ表を簡単かつ容易に作成できる方法を提供することを課題とする。
【０００９】
そのためには、各対戦回毎に参加者全員が競技に参加して、最少の対戦回数で総当たり可能な対戦組み合わせ表を作成することを目的とする。
【課題を解決するための手段】
【００１０】
この問題を解決するには、競技参加者全員が参加した一回の対戦回で消化し得る最大の対戦数Ｎ/２と総当たりのための各人最少の対戦回数（Ｎ−１）、即ちＮ/２×（Ｎ−１）の形の対戦表を作ることである。
【００１１】
本発明の請求項１は目的の対戦組み合わせ表の作成方法として下記の手順で行うことを特徴とする。
（１）参加者全てに背番号を付ける手順と、
（２）対戦組み合わせパターン表を作成する手順と、
（３）対戦組み合わせ重みを利用して、同じ重みの組み合わせを同列に配した、重み付け仕分け表を作り、重みが（１＋Ｎ）までの列を第１ブロックに、それ以上の重みの組み合わせは第２ブロックに配置して、まめラインＬで仕分けする手順と、
（４）第１ブロックの空き枠に、第２ブロックの組み合わせ全てを移動して、対戦組み合せ表を作成する手順とからなることを特徴とする。
【００１２】
本発明の請求項２の対戦組み合わせ表は、請求項１記載の手順によって作成されたことを特徴とする。
【００１３】
本発明の請求項３の対戦方法は、競技を実施するに際し、請求項２に記載の対戦組み合わせ表から任意の対戦回を任意数選択して競技を行うことを特徴とする。
【発明の効果】
【００１４】
対戦組み合わせ表は簡単、容易に作ることが出来て、この表に従って行う競技は競技時
間や競技日程に制限のある競技会を企画する場合でも、総当たり対戦表の（Ｎ−１）回戦の中から任意の対戦回を任意数選択して行う競技も成立することも大きな効果と言える。
【００１５】
さらに必要あれば、シード対戦の組み込みも可能なので、競技会はバリエーション豊かに連続的かつ無駄のない進行が期待で来て、企画どうりの日程で終了することが約束される。
【図面の簡単な説明】
【００１６】
【図１】参加数Ｎ（偶数）の総当たり全対戦組み合わせパターン表
【図２】上記対戦組み合わせ重み付け仕分け行列表
【図３】上記対戦組み合わせ完成表
【図４】実例  参加数Ｎ＝１４（偶数）の場合の重み付け仕分け表
【図５】実例  参加数Ｎ＝１４の対戦組み合わせ完成表
【図６】実例  参加数Ｎ＝１３（奇数）の対戦組み合わせ完成表
【発明を実施するための形態】
【００１７】
本発明の対戦組み合わせ表の作成方法を図１から図６に従って詳細説明する。
【００１８】
図１は参加数Ｎの総当たり対戦組み合わせパターンＮ/２×（Ｎ−１）通りを一般的表示方法で羅列したものである。
【００１９】
図２の対戦組み合わせ重み付け仕分け行列表は、図１の組み合わせパターン全てに重み付けを行い、同じ重みの組み合わせを同列に配置し、重みが同じ組み合わせが最多の（１＋Ｎ）の列までを第１ブロックに、それ以上の重みの列を第２ブロックに配置して、まと
目ラインＬにより左右に分類した表である。
【００２０】
図２の第２ブロックのＡ，Ｂ，・・・Ｘ、Ｙ行の組み合わせを、第１ブロックの対応する空き枠Ａ、Ｂ、・・・Ｘ、Ｙ行に移動し、Ｚ行については特殊な移動が必要で、第１ブロックＺ行一つ目の枠を空けて二つ目の枠から、ひと枠おきに第２ブロックのＺ行のくみあわせを２対Ｎから順次移動し、Ｓ対Ｎを入れ終わってから元に戻って残りの空き枠を埋めて行くことにより、図３の完成組み合わせ表が作成される。この表こそ、参加者全員が各対戦回毎に競技に参加出来て、全員が（Ｎ−１）回戦を同時に終了して総当たり戦を完了することになる。
【００２１】
図４は参加者Ｎ＝１４の具体的重み付け組み合わせ仕分け表であり、重みＷの種類は３から２７まで２５通り合って、重み１５の組み合わせが７組で最多なので、ここまでの組み合わせを第１ブロックに、それ以上の重みの組み合わせは駄２ブロックにＬラインで分類した。図５がその対戦組み合わせ表である。
【００２２】
図６に示す具体例は参加者Ｎ＝１３（奇数）の対戦表である。奇数参加者の場合の作成方法は架空参加者Ｄを加えた１４人参加の対戦組み合わせ表（図５）を利用し、Ｄを消去することで、作成できる。各対戦回毎の休戦者はＤの相手であり、その対戦不足は対戦回１３回目に休戦者同士の対戦で補完されている。
【００２３】
本発明によって作成される対戦組み合わせ表を、参加数６程度からそれ以上規模までのものを、あらかじめ一覧表又は冊子で用意しておくことにより利便性はさらに高まる。
【００２４】
対戦組み合わせ表は簡単、容易に作ることが出来て、この表に従って行う競技は競技時
間や競技日程に制限のある競技会を企画する場合でも、総当たり対戦表の（Ｎ−１）回戦の中から任意の対戦回を任意数選択して行う競技も成立可能である。
【符号の説明】
【００２５】
Ｐ        対戦組み合わせ表
Ｎ        参加者数及び参加者の最終背番号
Ｓ        Ｎが偶数の場合のＮ/２の背番号
Ｎ−１    Ｎの一つ前の背番号
Ｎ―２    Ｎの二つ前の背番号
Ｓ―１    Ｓの一つ前の背番号
Ｓ−２    Ｓの二つ前の背番号
Ｓ＋１    Ｓの一つ後の背番号
Ｌ        まとめライン
Ｗ        組み合わせ重み
Ｆ        空き枠
Ｄ        架空参加者
Ａ、Ｂ、Ｘ、Ｙ、Ｚ      各行を指す
１        第１ブロック
２        第２ブロック
【図１】
2013146329.tif 000003
【図２】
2013146329.tif 000004
【図３】
2013146329.tif 000005
【図４】
2013146329.tif 000006
【図５】
2013146329.tif 000007
【図６】
2013146329.tif 000008